(57)【要約】【課題】  高い離脱力を要する場合にも容易に離脱作業を行うことができる操作性及び機械的強度が優れた構造のコネクタを提供すること。【解決手段】  コネクタ１０は、従来構造と同様に、複数のコンタクトが内部に収容配備されたハウジング１と、一方向Ｍ１での相手側コネクタとの嵌合時に係止されるロック部３、及び嵌合時並びに逆方向Ｍ２で相手側コネクタから離脱される離脱時に各方向Ｍ１，Ｍ２を含む一平面とは垂直方向での押圧操作に供される平坦な押圧面を持つ操作部５を一体的に有し、操作部５がロック部３よりも一方向で奥側に配置されてハウジング１に設けられる弾性を有するロックレバー２とを備える以外、ハウジング１には、一方向Ｍ１で操作部５よりも奥側に離間して対向配置され、押圧面の高さ以下で少なくとも操作部５を押圧操作した状態で押圧面よりも高い位置に頂面が配置されるように固定リブ６が設けられている。【選択図】  図１
2004311392.tif 000002
【特許請求の範囲】
【請求項１】
相手側コネクタの持つ複数のコンタクトとの挿入接触に供される複数のコンタクトが内部に収容配備されるハウジングと、一方向で前記相手側コネクタに嵌合されたときに該相手側コネクタに対して係止されるロック部、及び嵌合時並びに該一方向とは反対の逆方向で該相手側コネクタから離脱される離脱時において該一方向及び該逆方向を含む一平面とは垂直な方向での押圧操作に供される平坦な押圧面を持つ操作部を一体的に有すると共に、該操作部が該ロック部よりも該一方向で奥側に配置されて前記ハウジングに設けられる弾性を有するロックレバーとを備えたコネクタにおいて、前記ハウジングには、前記ロックレバーにおける前記操作部近傍に前記一方向で該操作部よりも奥側に離間して対向配置されると共に、前記押圧面の高さ以下で少なくとも該操作部を押圧操作した状態で該押圧面よりも高い位置に頂面が配置されるように固定リブが設けられたことを特徴とするコネクタ。
【請求項２】
請求項１記載のコネクタにおいて、前記固定リブは、前記ハウジングに一体的に形成されたことを特徴とするコネクタ。
【請求項３】
請求項１又は２記載のコネクタにおいて、前記固定リブは、前記ロックレバーにおける前記操作部の前記一方向における奥側部分を囲むように前記一平面上で該一方向及び前記逆方向とは垂直な方向に延在して形成されたことを特徴とするコネクタ。
【請求項４】
相手側コネクタの持つ複数のコンタクトとの挿入接触に供される複数のコンタクトが内部に収容配備されるハウジングと、一方向で前記相手側コネクタに嵌合されたときに該相手側コネクタに対して係止されるロック部、及び嵌合時並びに該一方向とは反対の逆方向で該相手側コネクタから離脱される離脱時において該一方向及び該逆方向を含む一平面とは垂直な方向での押圧操作に供される平坦な押圧面を持つ操作部を一体的に有すると共に、該操作部が該ロック部よりも該一方向で奥側に配置されて前記ハウジングに設けられる弾性を有するロックレバーとを備えたコネクタにおいて、前記ハウジングにおける前記複数のコンタクトを装着するためのコンタクト装着用壁には、前記ロックレバーにおける前記操作部近傍に前記一方向で該操作部よりも奥側に離間して対向配置されると共に、前記押圧面の高さ以下で少なくとも該操作部を押圧操作した状態で該押圧面よりも高い位置に頂面が配置されるように固定リブが一体的に設けられたことを特徴とするコネクタ。
【請求項５】
請求項４記載のコネクタにおいて、前記固定リブは、前記ロックレバーにおける前記操作部の前記一方向における奥側部分を囲むように前記一平面上で該一方向及び前記逆方向とは垂直な方向に延在して形成されると共に、該一方向の奥側一端から該一平面に対して垂直な方向で立設するように形成されたことを特徴とするコネクタ。
【発明の詳細な説明】
【技術分野】
【０００１】
本発明は、主としてハウジングに設けられたロックレバーにおける操作部を押圧操作した状態で相手側コネクタに対して嵌合離脱可能であると共に、嵌合時にはロックレバーにおけるロック部が相手側コネクタに係止可能な構造のコネクタであって、詳しくはハウジングに設けた固定リブによりロックレバーの操作部における操作性を改良したコネクタに関する。
【背景技術】
【０００２】
従来、一般的に相手側コネクタに対して嵌合離脱可能であり、嵌合時に係止を行うためのロックレバーを有するコネクタの場合、ロックレバーの後端には構造物を持たせずに開放状態としている。
【０００３】
図７は、このようなタイプの従来のコネクタ３０（製品化済みのもので、文献公知発明に係るものでない）の基本構成を示した外観斜視図である。又、図８は、このコネクタ３０の外観構成の細部を示したもので、同図（ａ）は主面の一方側（上面側）からの平面図（上面図）に関するもの，同図（ｂ）は同図（ａ）に示す長手方向（Ｙ方向）に沿った一方側（左側）からの側面図（左側面図）に関するもの，同図（ｃ）は同図（ａ）に示す短手方向（Ｘ方向）に沿った一方側（正面側）からの端面図（正面図）に関するもの，同図（ｄ）は同図（ａ）に示す長手方向（Ｙ方向）に沿った他方側（右側）からの側面図（右側面図）に関するもの，同図（ｅ）は同図（ａ）に示す短手方向（Ｘ方向）に沿った他方側（背面側）からの端面図（背面図）に関するもの，同図（ｆ）は主面の他方側（下面側）からの平面図（底面図）に関するものである。
【０００４】
このコネクタ３０の場合、図示されない相手側コネクタの持つ複数のコンタクトとの挿入接触に供される複数のコンタクトが内部に収容配備されるハウジング１と、長手方向（Ｙ方向）における一方向（嵌合方向）Ｍ１で相手側コネクタに嵌合されたときに相手側コネクタに対して係止されるロック部（ロック突起）３、及び嵌合時並びに一方向（嵌合方向）Ｍ１とは反対の逆方向（離脱方向）Ｍ２で相手側コネクタから離脱される離脱時において一方向（嵌合方向）Ｍ１及び逆方向（離脱方向）Ｍ２を含む一平面とは垂直な方向での押圧操作に供される平坦な押圧面を持つ操作部５を一体的に有すると共に、操作部５がロック部３よりも一方向（嵌合方向）Ｍ１で奥側に配置されてハウジング１に設けられる弾性を有するロックレバー２とを備えて構成されている。又、ハウジング１には、図７及び図８（ｃ）に示されるように、短手方向に沿った正面側からの端面に複数（ここでは５個）の相手側コンタクト挿入穴９が所定の間隔を有して露呈されるように配設されており、ハウジング１の長手方向両端に突出して延在するキー４の頂面の高さとロックレバー２におけるロック部３及び操作部５の頂面の高さとがほぼ一致するように構成されている。尚、ハウジング１に設けられたキー４は、相手側コネクタの逆方向挿入を防止すると共に、ロックレバー２を外力負荷から保護するためにロックレバー２におけるロック部３及び操作部５の頂面と同等以上の高さで形成されており、ロックレバー２は相手側コンタクト挿入穴９が列設された端面側を固定端としてコネクタ３０の長手方向に延びた片持ち構造となっている。
【０００５】
図９は、ここでのコネクタ３０の細部構造及び基本動作を説明するために示した同図中のＡ−Ａ方向における側面断面図であり、同図（ａ）は操作部５の押圧面が押圧されていない非操作状態に関するもの，同図（ｂ）は操作部５の押圧面が押圧されている操作状態に関するものである。
【０００６】
ここでは、ハウジング１にあっての長手方向（Ｙ方向）における一方向（嵌合方向）Ｍ１でロックレバー２における操作部５よりも奥側には構造物が存在せず、ハウジング１内部の端子収容室７内に収容配備される図示されない複数のコンタクトを装着するためのコンタクト装着用壁８がロック部３及び操作部５を含むロックレバー２と一体的に形成された上、操作部５の押圧面が指で押圧されていない非操作状態では、図９（ａ）に示されるように、ロックレバー２が弾性変形しておらず、これによって上述したようにロック部３及び操作部５の頂面の高さがキー４の頂面の高さと同程度となっていることを示している。
【０００７】
又、操作部５の押圧面が指で押圧されている操作状態では、図９（ｂ）に示されるように、ロックレバー２が撓み弾性変形し、これによって相手側コネクタから離脱可能な状態となるが、この状態ではロック部３及び操作部５の頂面の高さが何れもキー４の頂面の高さよりも低くなっている（但し、ロックレバー２が撓み弾性変形したときには構造上においてロック部３の頂面の高さ＞操作部５の頂面の高さとなる）ことを示している。
【０００８】
このコネクタ３０における嵌合離脱の動作を説明すれば、嵌合時には通常、図７及び図９（ａ）に示される状態において、図７に示される一方向（嵌合方向）Ｍ１で相手側コネクタを嵌合し、端子収容室７内のコンタクト装着用壁８に装着される各コンタクトに相手側コネクタの各コンタクトが接触される状態を得れば良く、このときにロックレバー２が若干撓み弾性変形した後に弾性復帰してほぼ図９（ａ）に示される状態でロック部３の相手側コネクタの相手側係合部に対する係止が図られる（尚、嵌合時には予め操作部５の押圧面を指で押圧しておいてから相手側コネクタを嵌合した後に押圧を解放するようにしても良い）。
【０００９】
これに対し、操作部５の押圧面が指で押圧されている操作状態にあっての離脱時には、初期的にロックレバー２におけるロック部３が相手側コネクタの相手側係合部から解放されて離間された状態であるため、図７に示される逆方向（離脱方向）Ｍ２で相手側コネクタを引き抜いて離脱し、端子収容室７内のコンタクト装着用壁８に装着される各コンタクトから相手側コネクタの各コンタクトが離間された状態としてから押圧を解放すれば良く、これによってロックレバー２が弾性復帰して図９（ａ）に示される状態に戻る。
【００１０】
因みに、別なタイプのコネクタとして、ハウジングにロックレバー（ロックアーム）を持たせた上、ロックアームの後端にリブの間を差し渡したビーム部を形成し、このビーム部をロックアームよりも高い位置に配置させた構造のもの（特許文献１参照）もある。
【特許文献１】特開２００１−１６０４５５号公報（要約、図１）
【発明の開示】
【発明が解決しようとする課題】
【００１１】
上述したロックレバーの後端に構造物を持たないコネクタの場合、操作部の近傍が開放状態であるため、特にコンタクトの配設数が多くて高い離脱力を要する場合には操作部の押圧面を指で押圧して相手側コネクタから離脱する離脱時（或いは予め押圧面を押圧しておいて相手側コネクタの嵌合を行う場合には嵌合時についても同様である）に指が滑り易いことで離脱作業をし難い構造であるという問題がある。
【００１２】
又、特許文献１のコネクタの場合も、ロックアームの後端にリブの間を差し渡したビーム部がロックアームよりも高い位置に配置されているため、ロックアームの押圧面を指で押圧して相手側コネクタから離脱する離脱時（或いは予め押圧面を押圧しておいて相手側コネクタの嵌合を行う場合の嵌合時）にロックアームを押圧し難く、ロックアームを十分に押圧し切れなければ作業をし難くなってしまうという構造的な欠点がある。
【００１３】
更に、特許文献１のコネクタの場合、ロックレバーの後側（嵌合方向の奥側）からロックレバーの撓みのスペースを設けていたことにより、ビーム部が橋渡し状態となり、ビーム部の剛性が低くて外力により破損し易いという点で機械的強度に弱点がある。
【００１４】
本発明は、このような問題点を解決すべくなされたもので、その技術的課題は、高い離脱力を要する場合にも容易に離脱作業を行うことができる操作性及び機械的強度が優れた構造のコネクタを提供することにある。
【課題を解決するための手段】
【００１５】
本発明によれば、相手側コネクタの持つ複数のコンタクトとの挿入接触に供される複数のコンタクトが内部に収容配備されるハウジングと、一方向で相手側コネクタに嵌合されたときに該相手側コネクタに対して係止されるロック部、及び嵌合時並びに該一方向とは反対の逆方向で該相手側コネクタから離脱される離脱時において該一方向及び該逆方向を含む一平面とは垂直な方向での押圧操作に供される平坦な押圧面を持つ操作部を一体的に有すると共に、該操作部が該ロック部よりも該一方向で奥側に配置されてハウジングに設けられる弾性を有するロックレバーとを備えたコネクタにおいて、ハウジングには、ロックレバーにおける操作部近傍に一方向で該操作部よりも奥側に離間して対向配置されると共に、押圧面の高さ以下で少なくとも該操作部を押圧操作した状態で該押圧面よりも高い位置に頂面が配置されるように固定リブが設けられたコネクタが得られる。
【００１６】
又、本発明によれば、上記コネクタにおいて、固定リブは、ハウジングに一体的に形成されたコネクタが得られる。
【００１７】
更に、本発明によれば、上記何れかのコネクタにおいて、固定リブは、ロックレバーにおける操作部の一方向における奥側部分を囲むように一平面上で該一方向及び逆方向とは垂直な方向に延在して形成されたコネクタが得られる。
【００１８】
一方、本発明によれば、相手側コネクタの持つ複数のコンタクトとの挿入接触に供される複数のコンタクトが内部に収容配備されたハウジングと、一方向で相手側コネクタに嵌合されたときに該相手側コネクタに対して係止されるロック部、及び嵌合時並びに該一方向とは反対の逆方向で該相手側コネクタから離脱される離脱時において該一方向及び該逆方向を含む一平面とは垂直な方向での押圧操作に供される平坦な押圧面を持つ操作部を一体的に有すると共に、該操作部が該ロック部よりも該一方向で奥側に配置されてハウジングに設けられる弾性を有するロックレバーとを備えたコネクタにおいて、ハウジングにおける複数のコンタクトを装着するためのコンタクト装着用壁には、ロックレバーにおける操作部近傍に一方向で該操作部よりも奥側に離間して対向配置されると共に、押圧面の高さ以下で少なくとも該操作部を押圧操作した状態で該押圧面よりも高い位置に頂面が配置されるように固定リブが一体的に設けられたコネクタが得られる。
【００１９】
加えて、本発明によれば、上記コネクタにおいて、固定リブは、ロックレバーにおける操作部の一方向における奥側部分を囲むように一平面上で該一方向及び逆方向とは垂直な方向に延在して形成されると共に、該一方向の奥側一端から該一平面に対して垂直な方向で立設するように形成されたコネクタが得られる。
【発明の効果】
【００２０】
本発明のコネクタの場合、相手側コネクタとの嵌合方向でハウジングに設けられるロックレバーにおける操作部よりも奥側において、ハウジングに対して固定リブを設けるか、或いはハウジングにおける複数のコンタクトを装着するためのコンタクト装着用壁に対して固定リブを設け、係る固定リブの頂面がロックレバーを押圧操作する際の操作部の押圧面の高さと同程度かそれよりも低く、且つ操作部を押圧操作した状態で押圧面よりも高い位置に配置される構造としているため、ロックレバーの操作部の押圧面を指で押圧操作するときに固定リブの頂面を引っ掛け面とすることで押圧操作をし易くなり、離脱操作をするときに十分に力を加えることができることにより、各コンタクトの配設数が多くて高い離脱力を要する場合にも容易に離脱作業を行うことができるようになり、結果として相手側コネクタとの嵌合離脱に際しての操作性が向上して優れたものとなる。又、特許文献１のコネクタではロックレバーの後側（嵌合方向の奥側）からロックレバーの撓みのスペースを設けていたことにより、ビーム部が橋渡し状態となり、ビーム部の剛性が低くて外力により破損し易いという機械的強度に弱点があったが、本発明のコネクタではロックレバーの前側（嵌合方向の手前側）からロックレバーの撓みのスペースを設け、固定リブをハウジングと一体的な構造とできることにより、外力により破損し難くなって機械的強度が向上するようになる。更に、本発明のコネクタの場合、固定リブをロックレバーにおける操作部の一方向における奥側部分を囲むように嵌合離脱方向を含む一平面上でこれらの方向とは垂直な方向に延在して形成していることにより、一層固定リブの頂面を引っ掛け面として安定して使用できるので、嵌合離脱操作が行い易くなる。
【発明を実施するための最良の形態】
【００２１】
相手側コネクタの持つ複数のコンタクトとの挿入接触に供される複数のコンタクトが内部に収容配備されるハウジングと、一方向で相手側コネクタに嵌合されたときに相手側コネクタに対して係止されるロック部、及び嵌合時並びに一方向とは反対の逆方向で相手側コネクタから離脱される離脱時において一方向及び逆方向を含む一平面とは垂直な方向での押圧操作に供される平坦な押圧面を持つ操作部を一体的に有すると共に、操作部がロック部よりも一方向で奥側に配置されてハウジングに設けられる弾性を有するロックレバーとを備えたコネクタにおいて、ハウジングに対し、ロックレバーにおける操作部近傍に一方向で操作部よりも奥側に離間して対向配置されると共に、押圧面の高さ以下で少なくとも操作部を押圧操作した状態で押圧面よりも高い位置に頂面が配置されるように固定リブが設けるか、或いはハウジングにおける複数のコンタクトを装着するためのコンタクト装着用壁に対し、ロックレバーにおける操作部近傍に一方向で操作部よりも奥側に離間して対向配置されると共に、押圧面の高さ以下で少なくとも操作部を押圧操作した状態で押圧面よりも高い位置に頂面が配置されるように固定リブを一体的に設けるものである。
【００２２】
前者の構成の場合、固定リブは、ハウジングに一体的に形成され、ロックレバーにおける操作部の一方向における奥側部分を囲むように一平面上で一方向及び逆方向とは垂直な方向に延在して形成されることが好ましい。後者の構成の場合、固定リブは、ロックレバーにおける操作部の一方向における奥側部分を囲むように一平面上で一方向及び逆方向とは垂直な方向に延在して形成されると共に、一方向の奥側一端から一平面に対して垂直な方向で立設するように形成されることが好ましい。
【実施例１】
【００２３】
図１は、本発明の実施例１に係るコネクタ１０の基本構成を示した外観斜視図である。図２は、このコネクタ１０の外観構成の細部を示したもので、同図（ａ）は主面の一方側（上面側）からの平面図（上面図）に関するもの，同図（ｂ）は同図（ａ）に示す長手方向（Ｙ方向）に沿った一方側（左側）からの側面図（左側面図）に関するもの，同図（ｃ）は同図（ａ）に示す短手方向（Ｘ方向）に沿った一方側（正面側）からの端面図（正面図）に関するもの，同図（ｄ）は同図（ａ）に示す長手方向（Ｙ方向）に沿った他方側（右側）からの側面図（右側面図）に関するもの，同図（ｅ）は同図（ａ）に示す短手方向（Ｘ方向）に沿った他方側（背面側）からの端面図（背面図）に関するもの，同図（ｆ）は主面の他方側（下面側）からの平面図（底面図）に関するものである。
【００２４】
このコネクタ１０の場合も、図７及び図８（ａ）〜（ｆ）で説明したものと同様に、図示されない相手側コネクタの持つ複数のコンタクトとの挿入接触に供される複数のコンタクトが内部に収容配備されるハウジング１と、長手方向（Ｙ方向）における一方向（挿入方向）Ｍ１で相手側コネクタに嵌合されたときに相手側コネクタに対して係止されるロック部（ロック突起）３、及び嵌合時並びに一方向（挿入方向）Ｍ１とは反対の逆方向（離脱方向）Ｍ２で相手側コネクタから離脱される離脱時において一方向（挿入方向）Ｍ１及び逆方向（離脱方向）Ｍ２を含む一平面とは垂直な方向での押圧操作に供される平坦な押圧面を持つ操作部５を一体的に有すると共に、操作部５がロック部３よりも一方向（挿入方向）Ｍ１で奥側に配置されてハウジング１に設けられる弾性を有するロックレバー２とを備える基本構造を持つ以外、ハウジング１には、操作部５近傍に一方向（挿入方向）Ｍ１で操作部５よりも奥側に離間して対向配置されると共に、押圧面の高さ以下で少なくとも操作部５を押圧操作した状態で押圧面よりも高い位置に頂面が配置されるように固定リブ６が設けられている。この固定リブ６は、ハウジング１に一体的に形成されており、具体的にはロックレバー２における操作部５の一方向（挿入方向）Ｍ１における奥側部分を囲むように一平面上で一方向（挿入方向）Ｍ１及び逆方向（離脱方向）Ｍ２［但し、Ｍ１，Ｍ２は何れもＹ軸方向にある）とは垂直な方向（Ｘ軸方向）に延在して形成されている。
【００２５】
その他の構造は、図７及び図８（ａ）〜（ｆ）で説明したものと同様であり、ここでもハウジング１には、図１及び図２（ｃ）に示されるように、短手方向に沿った正面側からの端面に複数（ここでは５個）の相手側コンタクト挿入穴９が所定の間隔を有して露呈されるように配設されており、ハウジング１の長手方向両端に突出して延在するキー４の頂面の高さとロックレバー２におけるロック部３及び操作部５の頂面の高さとがほぼ一致するように構成されている。更に、ハウジング１に設けられたキー４は、相手側コネクタの逆方向挿入を防止すると共に、ロックレバー２を外力負荷から保護するためにロックレバー２におけるロック部３及び操作部５の頂面と同等以上の高さで形成されており、ロックレバー２は相手側コンタクト挿入穴９が列設された端面側を固定端としてコネクタ１０の長手方向に延びた片持ち構造となっている点も同様である。
【００２６】
図３は、ここでのコネクタ１０の細部構造及び基本動作を説明するために示した同図中のＡ−Ａ方向における側面断面図であり、同図（ａ）は操作部５の押圧面が押圧されていない非操作状態に関するもの，同図（ｂ）は操作部５の押圧面が押圧されている操作状態に関するものである。
【００２７】
ここでは、ハウジング１にあっての長手方向（Ｙ方向）における一方向（嵌合方向）Ｍ１でロックレバー２における操作部５よりも奥側に固定リブ６が存在しており、ハウジング１内部の端子収容室７内に収容配備される複数のコンタクトを装着するためのコンタクト装着用壁８がロック部３及び操作部５を含むロックレバー２と一体的に形成された上、操作部５の押圧面が指で押圧されていない非操作状態では、図３（ａ）に示されるように、ロックレバー２が弾性変形しておらず、これによって上述したようにロック部３及び操作部５の頂面の高さがキー４の頂面の高さと同程度となっていることを示している。
【００２８】
又、操作部５の押圧面が指で押圧されている操作状態では、図３（ｂ）に示されるように、ロックレバー２が撓み弾性変形し、これによって相手側コネクタから離脱可能な状態となるが、この状態ではロック部３及び操作部５の頂面の高さが何れもキー４の頂面の高さよりも低くなっている（但し、構造上においてロックレバー２が撓み弾性変形したときにはロック部３の頂面の高さ＞操作部５の頂面の高さとなる）ことを示している。
【００２９】
このコネクタ１０における嵌合離脱の動作を説明すれば、嵌合時には通常、図１及び図３（ａ）に示される状態において、図１に示される一方向（嵌合方向）Ｍ１で相手側コネクタを嵌合し、端子収容室７内のコンタクト装着用壁８に装着された各コンタクトに相手側コネクタの各コンタクトが接触される状態を得れば良く、このときにロックレバー２が若干撓み弾性変形した後に弾性復帰してほぼ図３（ａ）に示される状態でロック部３の相手側コネクタの相手側係合部に対する係止が図られる（尚、嵌合時には予め操作部５の押圧面を指で押圧しておいてから相手側コネクタを嵌合した後に押圧を解放するようにしても良い）。
【００３０】
これに対し、操作部５の押圧面が指で押圧されている操作状態にあっての離脱時には、初期的にロックレバー２におけるロック部３が相手側コネクタの相手側係合部から解放されて離間された状態であるため、図１に示される逆方向（離脱方向）Ｍ２で相手側コネクタを引き抜いて離脱し、端子収容室７内のコンタクト装着用壁８に装着される各コンタクトから相手側コネクタの各コンタクトが離間された状態としてから押圧を解放すれば良く、これによってロックレバー２が弾性復帰して図３（ａ）に示される状態に戻る。
【００３１】
ところで、このコネクタ１０の場合、相手側コネクタとの一方向（嵌合方向）Ｍ１でハウジング１に設けられるロックレバー２における操作部５よりも奥側において、ハウジング１に対して設けられた固定リブ６がロックレバー２を押圧操作する際の操作部５の押圧面の高さと同程度かそれよりも低く、且つ操作部５を押圧操作した状態で押圧面よりも高い位置（高さｈ）に配置された頂面を持つ構造であるため、ロックレバー２の操作部５の押圧面を指で押圧操作するときに固定リブ６の頂面を引っ掛け面とすれば押圧操作をし易く、離脱操作をするときに十分に力を加えることができることにより、コンタクト装着用壁８に装着されるコンタクトの配設数が多くて高い離脱力を要する場合にも容易に離脱作業を行うことができるようになる。
【実施例２】
【００３２】
図４は、本発明の実施例２に係るコネクタ２０の基本構成を示した外観斜視図である。図５は、このコネクタ２０の外観構成の細部を示したもので、同図（ａ）は主面の一方側（上面側）からの平面図（上面図）に関するもの，同図（ｂ）は同図（ａ）に示す長手方向（Ｙ方向）に沿った一方側（左側）からの側面図（左側面図）に関するもの，同図（ｃ）は同図（ａ）に示す短手方向（Ｘ方向）に沿った一方側（正面側）からの端面図（正面図）に関するもの，同図（ｄ）は同図（ａ）に示す長手方向（Ｙ方向）に沿った他方側（右側）からの側面図（右側面図）に関するもの，同図（ｅ）は同図（ａ）に示す短手方向（Ｘ方向）に沿った他方側（背面側）からの端面図（背面図）に関するもの，同図（ｆ）は主面の他方側（下面側）からの平面図（底面図）に関するものである。
【００３３】
このコネクタ２０の場合も、図７及び図８（ａ）〜（ｆ）で説明した従来のものや実施例１のものと同様に、図示されない相手側コネクタの持つ複数のコンタクトとの挿入接触に供される複数のコンタクトが内部に収容配備されるハウジング１と、長手方向（Ｙ方向）における一方向（挿入方向）Ｍ１で相手側コネクタに嵌合されたときに相手側コネクタに対して係止されるロック部（ロック突起）３、及び嵌合時並びに一方向（挿入方向）Ｍ１とは反対の逆方向（離脱方向）Ｍ２で相手側コネクタから離脱される離脱時において一方向（挿入方向）Ｍ１及び逆方向（離脱方向）Ｍ２を含む一平面とは垂直な方向での押圧操作に供される平坦な押圧面を持つ操作部５を一体的に有すると共に、操作部５がロック部３よりも一方向（挿入方向）Ｍ１で奥側に配置されてハウジング１に設けられる弾性を有するロックレバー２とを備える基本構造を持つ以外、ハウジング１における複数のコンタクトを装着するためのコンタクト装着用壁８′（後文で説明する）には、操作部５近傍に一方向（挿入方向）Ｍ１で操作部５よりも奥側に離間して対向配置されると共に、押圧面の高さ以下で少なくとも操作部５を押圧操作した状態で押圧面よりも高い位置に頂面が配置されるように固定リブ８ａが一体的に設けられている。この固定リブ８ａは、ロックレバー２における操作部５の一方向（挿入方向）Ｍ１における奥側部分を囲むように一平面上で一方向（挿入方向）Ｍ１及び逆方向（離脱方向）Ｍ２［但し、Ｍ１，Ｍ２は何れもＹ軸方向にある）とは垂直な方向に延在して形成されると共に、一方向（挿入方向）Ｍ１の奥側一端から一平面に対して垂直な方向で立設するように形成されている。その他の構造は、図７及び図８（ａ）〜（ｆ）で説明した従来のものや実施例１で説明したものと同様であるので、説明を省略する。
【００３４】
図６は、ここでのコネクタ２０の細部構造及び基本動作を説明するために示した同図中のＡ−Ａ方向における側面断面図であり、同図（ａ）は操作部５の押圧面が押圧されていない非操作状態に関するもの，同図（ｂ）は操作部５の押圧面が押圧されている操作状態に関するものである。
【００３５】
ここでは、ハウジング１にあっての長手方向（Ｙ方向）における一方向（嵌合方向）Ｍ１でロックレバー２における操作部５よりも奥側にコンタクト装着用壁８′に一体的に設けられた固定リブ８ａが存在しており、ハウジング１内部の端子収容室７内に収容配備される図示されない複数のコンタクトを装着するためのコンタクト装着用壁８′がロック部３及び操作部５を含むロックレバー２と一体的に形成された上、操作部５の押圧面が指で押圧されていない非操作状態では、図６（ａ）に示されるように、ロックレバー２が弾性変形しておらず、これによって上述したようにロック部３及び操作部５の頂面の高さがキー４の頂面の高さと同程度となっていることを示している。
【００３６】
又、操作部５の押圧面が指で押圧されている操作状態では、図６（ｂ）に示されるように、ロックレバー２が撓み弾性変形し、これによって相手側コネクタから離脱可能な状態となるが、この状態ではロック部３及び操作部５の頂面の高さが何れもキー４の頂面の高さよりも低くなっている（但し、構造上においてロックレバー２が撓み弾性変形したときにはロック部３の頂面の高さ＞操作部５の頂面の高さとなる）ことを示している。
【００３７】
このコネクタ１０における嵌合離脱の動作を説明すれば、嵌合時には通常、図４及び図６（ａ）に示される状態において、図４に示される一方向（嵌合方向）Ｍ１で相手側コネクタを嵌合し、端子収容室７内のコンタクト装着用壁８′に装着される各コンタクトに相手側コネクタの各コンタクトが接触される状態を得れば良く、このときにロックレバー２が若干撓み弾性変形した後に弾性復帰してほぼ図６（ａ）に示される状態でロック部３の相手側コネクタの相手側係合部に対する係止が図られる（尚、嵌合時には予め操作部５の押圧面を指で押圧しておいてから相手側コネクタを嵌合した後に押圧を解放するようにしても良い）。
【００３８】
これに対し、操作部５の押圧面が指で押圧されている操作状態にあっての離脱時には、初期的にロックレバー２におけるロック部３が相手側コネクタの相手側係合部から解放されて離間された状態であるため、図４に示される逆方向（離脱方向）Ｍ２で相手側コネクタを引き抜いて離脱し、端子収容室７内のコンタクト装着用壁８′に装着された各コンタクトから相手側コネクタの各コンタクトが離間された状態としてから押圧を解放すれば良く、これによってロックレバー２が弾性復帰して図６（ａ）に示される状態に戻る。
【００３９】
ところで、このコネクタ２０の場合も、相手側コネクタとの一方向（嵌合方向）Ｍ１でハウジング１に設けられるロックレバー２における操作部５よりも奥側において、ハウジング１内部に収容配備されるコンタクト装着用壁８′に対して一体的に設けられた固定リブ８ａがロックレバー２を押圧操作する際の操作部５の押圧面の高さと同程度かそれよりも低く、且つ操作部５を押圧操作した状態で押圧面よりも高い位置（高さｈ′）に配置された頂面を持つ構造（尚、実施例２のコネクタの場合にはコンタクト装着用壁８′に固定リブ８ａが立設されるように一体的に設けられる構造上、固定リブ８ａの頂面の高さｈ′は、実施例１のコネクタの場合のハウジング１に設けられた固定リブ６の頂面の高さｈよりも高い背高構造となっている）であるため、実施例１の場合と同様に、ロックレバー２の操作部５の押圧面を指で押圧操作するときに固定リブ８ａの頂面を引っ掛け面とすれば押圧操作をし易く、離脱操作をするときに十分に力を加えることができることにより、コンタクト装着用壁８′に装着されるコンタクトの配設数が多くて高い離脱力を要する場合にも容易に離脱作業を行うことができるようになる。
【図面の簡単な説明】
【００４０】
【図１】本発明の実施例１に係るコネクタの基本構成を示した外観斜視図である。
【図２】図１に示すコネクタの外観構成の細部を示したもので、（ａ）は主面の一方側（上面側）からの平面図（上面図）に関するもの，（ｂ）は（ａ）に示す長手方向（Ｙ方向）に沿った一方側（左側）からの側面図（左側面図）に関するもの，（ｃ）は（ａ）に示す短手方向（Ｘ方向）に沿った一方側（正面側）からの端面図（正面図）に関するもの，（ｄ）は（ａ）に示す長手方向（Ｙ方向）に沿った他方側（右側）からの側面図（右側面図）に関するもの，（ｅ）は（ａ）に示す短手方向（Ｘ方向）に沿った他方側（背面側）からの端面図（背面図）に関するもの，（ｆ）は主面の他方側（下面側）からの平面図（底面図）に関するものである。
【図３】図１に示すコネクタの細部構造及び基本動作を説明するために示した同図中のＡ−Ａ方向における側面断面図であり、（ａ）は操作部の押圧面が押圧されていない非操作状態に関するもの，（ｂ）は操作部の押圧面が押圧されている操作状態に関するものである。
【図４】本発明の実施例２に係るコネクタの基本構成を示した外観斜視図である。
【図５】図４に示すコネクタの外観構成の細部を示したもので、（ａ）は主面の一方側（上面側）からの平面図（上面図）に関するもの，（ｂ）は（ａ）に示す長手方向（Ｙ方向）に沿った一方側（左側）からの側面図（左側面図）に関するもの，（ｃ）は（ａ）に示す短手方向（Ｘ方向）に沿った一方側（正面側）からの端面図（正面図）に関するもの，（ｄ）は（ａ）に示す長手方向（Ｙ方向）に沿った他方側（右側）からの側面図（右側面図）に関するもの，（ｅ）は（ａ）に示す短手方向（Ｘ方向）に沿った他方側（背面側）からの端面図（背面図）に関するもの，（ｆ）は主面の他方側（下面側）からの平面図（底面図）に関するものである。
【図６】図４に示すコネクタの細部構造及び基本動作を説明するために示した同図中のＡ−Ａ方向における側面断面図であり、（ａ）は操作部の押圧面が押圧されていない非操作状態に関するもの，（ｂ）は操作部の押圧面が押圧されている操作状態に関するものである。
【図７】従来のコネクタの基本構成を示した外観斜視図である。
【図８】図７に示すコネクタの外観構成の細部を示したもので、（ａ）は主面の一方側（上面側）からの平面図（上面図）に関するもの，（ｂ）は（ａ）に示す長手方向（Ｙ方向）に沿った一方側（左側）からの側面図（左側面図）に関するもの，（ｃ）は（ａ）に示す短手方向（Ｘ方向）に沿った一方側（正面側）からの端面図（正面図）に関するもの，（ｄ）は（ａ）に示す長手方向（Ｙ方向）に沿った他方側（右側）からの側面図（右側面図）に関するもの，（ｅ）は（ａ）に示す短手方向（Ｘ方向）に沿った他方側（背面側）からの端面図（背面図）に関するもの，（ｆ）は主面の他方側（下面側）からの平面図（底面図）に関するものである。
【図９】図７に示すコネクタの細部構造及び基本動作を説明するために示した同図中のＡ−Ａ方向における側面断面図であり、（ａ）は操作部の押圧面が押圧されていない非操作状態に関するもの，（ｂ）は操作部の押圧面が押圧されている操作状態に関するものである。
【符号の説明】
【００４１】
１    ハウジング
２    ロックレバー
３    ロック部（ロック突起）
４    キー
５    操作部
６，８ａ    固定リブ
７    端子収容室
８，８′    コンタクト装着用壁
９    相手側コンタクト挿入穴
１０，２０，３０    コネクタ
【図１】
2004311392.tif 000003
【図２】
2004311392.tif 000004
【図３】
2004311392.tif 000005
【図４】
2004311392.tif 000006
【図５】
2004311392.tif 000007
【図６】
2004311392.tif 000008
【図７】
2004311392.tif 000009
【図８】
2004311392.tif 000010
【図９】
2004311392.tif 000011